(57)【要約】【課題】消費電力を低減できる車両用表示装置を提供する。【解決手段】車両の警告情報の有無を表示可能な表示灯５０と、複数種類の警告情報の内容を表示可能な警告灯４１〜４５及びマルチ表示部３０と、警告情報の内容の表示を要求する内容表示要求信号を乗員の操作に基づき出力する操作スイッチ５５と、表示灯５０に警告情報の有無を表示させるとともに、内容表示要求信号に基づいて警告灯４１〜４５又はマルチ表示部３０に警告情報の内容を表示させるマイコン６０とを有するように構成する。【選択図】図１
2010076462.tif 000002
【特許請求の範囲】
【請求項１】
車両の警告情報の有無を表示可能な第１表示部と、
複数種類の前記警告情報の内容を表示可能な第２表示部と、
前記警告情報の内容の表示を要求する内容表示要求信号を乗員の操作に基づき出力する操作部と、
前記第１表示部に前記警告情報の有無を表示させるとともに、前記内容表示要求信号に基づいて前記第２表示部に前記警告情報の内容を表示させる制御手段とを有することを特徴とする車両用表示装置。
【請求項２】
前記第１表示部は、前記警告情報の有無により点消灯する１つの表示灯を有していることを特徴とする請求項１に記載の車両用表示装置。
【請求項３】
前記第２表示部は、前記警告情報の内容に基づき個別に点灯する複数の警告灯を有していることを特徴とする請求項１又は２に記載の車両用表示装置。
【請求項４】
前記第２表示部は、複数種類の前記警告情報の内容を表示可能なマルチ表示部を有していることを特徴とする請求項１又は２に記載の車両用表示装置。
【請求項５】
前記第１表示部及び前記第２表示部は、前記警告情報の有無と前記警告情報の内容との双方を表示可能な共通のマルチ表示部を有していることを特徴とする請求項１又は２に記載の車両用表示装置。
【発明の詳細な説明】
【技術分野】
【０００１】
本発明は、車両の警告情報を表示する車両用表示装置に関する。
【背景技術】
【０００２】
従来、車両の警告情報を表示する複数の警告灯を備えた車両用表示装置が知られている（例えば、特許文献１）。各警告灯は、特定の警告情報が発生すると、それぞれ所定のシンボルマーク形状に点灯するようになっている。乗員は、点灯した警告灯を視認することによって車両状態を認識できる。
【特許文献１】特開２００２−７９８４７号公報
【発明の開示】
【発明が解決しようとする課題】
【０００３】
しかしながら、複数種類の警告情報が存在する場合には、複数の警告灯の点灯状態が継続される。したがって、警告灯に対し電力が供給され続けるため、車両用表示装置の消費電力が増大してしまうという問題があった。
【０００４】
本発明の目的は、消費電力を低減できる車両用表示装置を提供することにある。
【課題を解決するための手段】
【０００５】
本発明は上記目的を達成するために、以下の技術的手段を採用する。
【０００６】
請求項１に記載の発明は、車両の警告情報の有無を表示可能な第１表示部と、複数種類の警告情報の内容を表示可能な第２表示部と、警告情報の内容の表示を要求する内容表示要求信号を乗員の操作に基づき出力する操作部と、第１表示部に警告情報の有無を表示させるとともに、内容表示要求信号に基づいて第２表示部に警告情報の内容を表示させる制御手段とを有することを特徴とする車両用表示装置である。
【０００７】
これにより、警告情報が発生した場合には、警告情報の存在のみが第１表示部に表示され、警告情報の存在を認識した乗員によって操作部が操作されると、警告情報の内容が第２表示部に表示されるようになる。第１表示部では、警告情報の存在を乗員に認識させればよいため、表示を簡素化できる。また第２表示部では、乗員が操作部を操作するまでは警告情報の内容の表示を省略できる。したがって、車両用表示装置の消費電力を低減できる。
【０００８】
請求項２に記載の発明は、第１表示部は、警告情報の有無により点消灯する１つの表示灯を有していることを特徴としている。
【０００９】
これにより、１つの表示灯を点消灯するだけで警告情報の有無を表示できるため、車両用表示装置の消費電力をさらに低減できる。
【００１０】
請求項３に記載の発明は、第２表示部は、警告情報の内容に基づき個別に点灯する複数の警告灯を有していることを特徴としている。
【００１１】
警告情報の内容を個別に点灯表示する警告灯が複数設けられている場合、警告情報の数が増加すると点灯する警告灯の数も併せて増加するため、消費電力が増大する。したがって、本発明によって警告情報の内容表示を省略することにより、消費電力の低減効果が高まる。
【００１２】
請求項４に記載の発明は、第２表示部は、複数種類の警告情報の内容を表示可能なマルチ表示部を有していることを特徴としている。
【００１３】
マルチ表示部によって多数の警告情報の内容を表示できるため、警告情報の内容を個別に点灯表示する警告灯の数を減らすことができる。したがって、車両用表示装置の消費電力をさらに低減できる。
【００１４】
請求項５に記載の発明は、第１表示部及び第２表示部は、警告情報の有無と警告情報の内容との双方を表示可能な共通のマルチ表示部を有していることを特徴としている。
【００１５】
これにより、第１表示部及び第２表示部の構成を簡素化できるため、車両用表示装置の製造コストを低減できるとともに、車両用表示装置を小型化できる。
【発明を実施するための最良の形態】
【００１６】
（第１実施形態）
本発明の第１実施形態について図１乃至図５を用いて説明する。本実施形態の車両用表示装置は、車両の車室内前方に配置されたインストルメントパネルに、車両の各種情報を表示するコンビネーションメータとして設けられている。図１は、本実施形態における車両用表示装置１０の正面図である。図１に示すように、車両用表示装置１０は、車両の各種情報を表示する情報表示領域１１を有している。情報表示領域１１の図中右寄りにはスピードメータ２０が配置され、図中左寄りにはタコメータ２１が配置されている。スピードメータ２０は、文字盤と車速に応じて回動する指針とを備える指針計器である。タコメータ２１は、文字盤とエンジン回転数に応じて回動する指針とを備える指針計器である。
【００１７】
スピードメータ２０とタコメータ２１との間には、文字情報や画像情報を表示するドットマトリクス方式のマルチ表示部（第２表示部）３０が配置されている。マルチ表示部３０は、車両における種々の警告情報の内容を表示可能になっている。例えばマルチ表示部３０は、複数の画素がマトリクス状に配置された液晶表示（ＬＣＤ）パネルと、ＬＣＤパネルを駆動するＬＣＤドライバと、ＬＣＤパネルを背面側から照明するバックライトとを有している。ＬＣＤパネルは、液晶を駆動してバックライトからの光の透過率を画素毎に制御することにより、所望の情報を表示できるようになっている。マルチ表示部３０は、例えば通常時には、バックライトが消灯されて非表示状態になるように制御されている。図１では、マルチ表示部３０が非表示状態であることをハッチングで表している。
【００１８】
スピードメータ２０の下方部及びタコメータ２１の下方部には、車両における特定の警告情報の内容をそれぞれ表示可能な５つの警告灯（第２表示部）４１〜４５が配置されている。各警告灯４１〜４５は、可視光に対して透明な透明樹脂板と、透明樹脂板の背面側に配置された光源部とを有している。透明樹脂板には、警告内容を認識可能なシンボルマーク形状又は文字形状で開口された遮光印刷が施されている。光源部は、電圧印加により白色光を発する発光ダイオード（ＬＥＤ）と、特定色の波長光を透過させるカラーフィルタ部材とにより構成されているか、又は特定色の光を発するＬＥＤにより構成されている。これにより各警告灯４１〜４５は、所定の点灯色で所定のシンボルマーク形状又は文字形状に点灯するようになっている。各警告灯４１〜４５は、対応する警告情報が存在しないときには消灯状態にある。また各警告灯４１〜４５は、後述するように、対応する警告情報が存在し、かつ乗員による所定の操作が行われたときに点灯状態になる。図１では、警告灯４１〜４５が消灯状態であることをハッチングで表している。
【００１９】
以下、各警告灯４１〜４５の点灯する状況及び点灯色の一例について説明する。警告灯４１は、赤色で点灯する運転席シートベルト非着用警告灯であり、運転席のシートベルトが着用されていないことを表示する。警告灯４２は、赤色で点灯するパーキングブレーキ作動／ブレーキ液レベル警告灯であり、パーキングブレーキ作動中又はブレーキ液が少ない状態であることを表示する。警告灯４３は、赤色で点灯する油圧警告灯であり、油圧が極端に低下した状態であることを表示する。警告灯４４は、黄色で点灯する燃料残量警告灯であり、燃料残量が少ない状態であることを表示する。警告灯４５は、黄色で点灯するチェックエンジン警告灯であり、エンジン制御システム関係に異常が発生していることを表示する。
【００２０】
本例では、上記以外の警告情報は、マルチ表示部３０にシンボルマーク及び／又は文字情報で表示されるようになっている。マルチ表示部３０に表示される警告情報の例として、アンチロック・ブレーキ・システム（ＡＢＳ）関係に異常が発生したときのＡＢＳ警告情報、いずれかのドアが開いている状態又は半ドアの状態のときのドアオープン警告情報、補助拘束システム（ＳＲＳ）エアバッグ関係に異常が発生したときのＳＲＳエアバッグ警告情報などがある。
【００２１】
またスピードメータ２０の下方部には、車両の警告情報の有無を点消灯により表示可能な１つの表示灯（第１表示部）５０が配置されている。表示灯５０は、各警告灯４１〜４５と同様に透明樹脂板と光源部とを有し、所定の点灯色で所定のシンボルマーク形状又は文字形状に点灯するようになっている。表示灯５０は、少なくとも、警告情報が存在しないときには消灯状態にある。図１では、表示灯５０が消灯状態であることをハッチングで表している。
【００２２】
また車両用表示装置１０は、インストルメントパネルにおける例えば情報表示領域１１の右外側に配置された押釦式の操作スイッチ（操作部）５５を有している。操作スイッチ５５は、乗員により押釦されるとオン状態になって接点信号（内容表示要求信号）を出力し、押釦が終了するとオフ状態に戻って接点信号の出力を停止するようになっている。
【００２３】
次に、車両用表示装置１０の回路構成について説明する。図２は、車両用表示装置１０の概略の回路構成を示している。図２では、表示灯５０及び各警告灯４１〜４５のＬＥＤのうち表示灯５０及び警告灯４３、４４の３つのＬＥＤ５０ａ、４３ａ、４４ａのみを示している。図２に示すように、車両用表示装置１０は、ＣＰＵ、ＲＯＭ、ＲＡＭ等を備えたマイコン（制御手段）６０を有している。マイコン６０には、各種センサ類から各種の車両情報（警告信号）や、操作スイッチ５５から出力される接点信号が、不図示の入力回路を介して入力されるようになっている。図２では、ドア毎に設けられてドアオープンや半ドアを検出するドアセンサ７０をセンサ類の例として示している。またマイコン６０には、ＣＡＮ等の通信ネットワークを介した他のＥＣＵとの通信によっても各種の車両情報が入力されるようになっている。
【００２４】
各ＬＥＤ５０ａ、４３ａ、４４ａの陽極端子は、それぞれ所定の抵抗を介して電源ライン８０に接続されている。各ＬＥＤ５０ａ、４３ａ、４４ａの陰極端子は、トランジスタ８１、８２、８３のコレクタ端子にそれぞれ接続されている。トランジスタ８１、８２、８３のエミッタ端子は、いずれもグランド電位に維持されており、それぞれ所定の抵抗を介してベース端子に接続されている。トランジスタ８１、８２、８３のベース端子は、それぞれ所定の抵抗を介してマイコン６０の出力回路に接続されている。各トランジスタ８１、８２、８３のベース端子には、マイコン６０の制御によって所定のベース電圧が個別に印加されるようになっている。例えばトランジスタ８１においてベース端子に電圧が印加されていない状態では、トランジスタ８１がオフ状態となるためＬＥＤ５０ａには電流が流れず、表示灯５０は消灯状態にある。一方、トランジスタ８１のベース端子にベース電圧が印加されると、トランジスタ８１がオン状態となってＬＥＤ５０ａに所定の電流が流れ、ＬＥＤ５０ａが発光して表示灯５０が点灯する。
【００２５】
またマイコン６０には、マルチ表示部３０のＬＣＤドライバ３２が接続されている。ＬＣＤドライバ３２は、マイコン６０の制御に基づきＬＣＤパネル３１を駆動するようになっている。
【００２６】
次に、車両用表示装置１０の作動についてドアオープン警告情報を例に挙げて説明する。図３は、車両用表示装置１０の作動の一例を示すフローチャートである。初期状態では、警告情報が何も存在せず、図１に示したように表示灯５０、警告灯４１〜４５及びマルチ表示部３０が全て消灯状態（非表示状態）にあるものとする。
【００２７】
図３に示すように、上記の状態においてマイコン６０は、ドアセンサ７０からのドアオープン警告信号を入力すると（ステップＳ１）、トランジスタ８１にベース電圧を印加してＬＥＤ５０ａを発光させ、表示灯５０を点灯させる（ステップＳ２）。
【００２８】
図４は、車両用表示装置１０において表示灯５０が点灯した状態を示している。図４に示す状態では、表示灯５０のみが点灯しており、警告灯４１〜４５は消灯しており、マルチ表示部３０は非表示状態である。表示灯５０が点灯すると、それを視認した乗員は、車両に関する何らかの警告情報が存在することを認識できる。ただし、表示灯５０は警告情報の有無を表示するだけであるため、この状態では何の警告情報であるかを乗員が認識することはできない。したがって、乗員は、警告情報の内容を知るために、操作スイッチ５５を押釦操作する。操作スイッチ５５は、乗員の押釦操作によってマイコン６０に対し内容表示要求信号を出力する。
【００２９】
マイコン６０は、操作スイッチ５５からの内容表示要求信号を入力すると（ステップＳ３）、警告情報の内容を認識可能な文字情報又はシンボルマークを表示させるための表示信号を生成し、生成した表示信号をマルチ表示部３０（ＬＣＤドライバ３２）に対し出力する（ステップＳ４）。またマイコン６０は、トランジスタ８１へのベース電圧の印加を停止し、表示灯５０を消灯させる。
【００３０】
マルチ表示部３０は、マイコン６０からの表示信号を入力すると、バックライトを点灯させるとともに、表示信号に基づいて警告情報の内容を文字情報又はシンボルマークで表示する。乗員は、マルチ表示部３０の表示を視認することにより、車両のいずれかのドアが開いているか又は半ドアであるという警告内容を認識できる。
【００３１】
次に、車両用表示装置１０の作動の他の例について説明する。初期状態では、警告情報が何も存在せず、図１に示したように表示灯５０、警告灯４１〜４５及びマルチ表示部３０が全て消灯状態にあるものとする。
【００３２】
この状態において、マイコン６０に対し、ドアオープン警告、油圧警告及び燃料残量警告の３つの警告信号が各センサ類からほぼ同時に入力されたとする。このときマイコン６０は、トランジスタ８１にベース電圧を印加してＬＥＤ５０ａを発光させ、表示灯５０のみを点灯させる（図４参照）。
【００３３】
表示灯５０の点灯を視認した乗員は、車両に関する何らかの警告情報が存在することを認識できる。乗員は、何の警告情報であるかを知るために、操作スイッチ５５を押釦操作する。操作スイッチ５５は、乗員により押釦されると、マイコン６０に対し表示内容要求信号を出力する。
【００３４】
マイコン６０は、操作スイッチ５５からの内容表示要求信号を入力すると、警告内容を警告灯４１〜４５又はマルチ表示部３０に表示させる処理を行う。すなわちマイコン６０は、ドアオープン警告については所定の表示信号を生成してマルチ表示部３０に出力し、ドアオープン警告であることを認識可能な文字情報又はシンボルマークをマルチ表示部３０に表示させる。また、油圧警告及び燃料残量警告については、トランジスタ８２、８３にベース電圧を印加してＬＥＤ４３ａ、４４ａを発光させ、個別の警告灯４３、４４を点灯させる。
【００３５】
図５は、車両用表示装置１０において警告灯４３、４４が点灯し、マルチ表示部３０が警告内容を表示している状態を示している。図５に示すように、警告灯４３、４４が所定の点灯色で所定のシンボルマーク形状又は文字形状に点灯すると、それを視認した乗員は、油圧が低下しているという警告内容、及び燃料残量が少ないという警告内容を認識できる。またマルチ表示部３０の表示（本例では「ドアオープン」という文字情報）を視認した乗員は、車両のいずれかのドアが開いているか又は半ドアであるという警告内容を認識できる。
【００３６】
以上説明したように本実施形態では、警告情報が発生した場合には、まず表示灯５０の点灯により警告情報の存在のみが表示される。その後、警告情報の存在を認識した乗員によって操作スイッチ５５が押釦操作されると、警告灯４１〜４５やマルチ表示部３０により警告内容が表示されるようになる。警告灯４１〜４５やマルチ表示部３０では、乗員が操作スイッチ５５を押釦操作するまでは警告内容の表示を省略できるため、警告灯４１〜４５を消灯状態にでき、マルチ表示部３０を非表示状態にできる。したがって、警告灯４１〜４５及びマルチ表示部３０（第２表示部）への電力供給を抑えることができるため、車両用表示装置１０の消費電力を低減できる。
【００３７】
特に、警告内容を個別に点灯表示する警告灯が多数設けられている場合、警告情報の数が増加すると点灯する警告灯の数も併せて増加するため、消費電力が増大する。したがって、警告灯の数が多い場合には特に、本実施形態による消費電力の低減効果が高まる。
【００３８】
また本実施形態では、第１表示部（表示灯５０）は警告情報の存在のみを乗員に認識させればよいため、表示を簡素化できる。本実施形態では、第１表示部がＬＥＤ５０ａを１つのみ備えた表示灯５０によって構成されているため、第１表示部への電力供給も抑えることができる。
【００３９】
さらに本実施形態では、多数の警告内容を表示可能なマルチ表示部３０を有しているため、警告内容を個別に点灯表示する警告灯の数を減らすことができる。したがって、車両用表示装置１０の消費電力をさらに低減できる。
【００４０】
ここで、本実施形態では、乗員の操作が行われるまで全ての警告情報について警告内容の表示を省略している。しかしながら、運転席シートベルト非着用警告や、パーキングブレーキ作動／ブレーキ液レベル警告等の重要度の高い警告情報については、乗員操作を待たずに警告灯を点灯させ、警告内容表示を即時行うようにしてももちろんよい。
【００４１】
（第２実施形態）
次に、本発明の第２実施形態について図６を用いて説明する。図６は、本実施形態における車両用表示装置１５の正面図である。図６に示すように本実施形態は、第１実施形態と比較すると、警告情報の有無を表示する独立した表示灯５０が省略され、警告情報の存在がマルチ表示部３５に表示される点に特徴を有している。
【００４２】
本実施形態では、各種の警告信号を入力したマイコン６０は、警告情報が存在することを認識可能な文字情報又はシンボルマークを表示させるための表示信号を生成し、生成した表示信号をマルチ表示部３５に出力する。
【００４３】
マルチ表示部３５は、マイコン６０からの表示信号を入力すると、バックライトを点灯させるとともに、表示信号に基づいて警告情報の存在を文字情報又はシンボルマークで表示する（本例では「ウォーニングあり」という文字情報を表示している）。
【００４４】
本実施形態によれば、警告情報の内容を表示する第２表示部として機能するマルチ表示部３５が、警告情報の有無を表示する第１表示部としても機能するため、独立した表示灯５０を省略できる。したがって、車両用表示装置１０の製造コストを低減できるとともに、車両用表示装置１０を小型化できる。
【００４５】
（その他の実施形態）
上記実施形態では、操作スイッチ５５がインストルメントパネルに設けられた例を挙げたが、操作スイッチ５５はステアリングホイール等の別の場所に設けられていてもよい。
【００４６】
また上記実施形態では、特定の警告情報を個別に表示する警告灯４１〜４５が５つ設けられた例を挙げたが、警告灯の個数は４つ以下又は６つ以上であってもよい。
【００４７】
さらに上記実施形態では、マルチ表示部３０、３５としてＬＣＤが用いられた例を挙げたが、有機ＥＬ等の他の表示装置を用いてもよい。
【００４８】
また上記第１実施形態では、警告灯４１〜４５で表示される警告情報以外の警告情報を表示するマルチ表示部３０が設けられた例を挙げたが、全ての警告情報毎に個別の警告灯を設ければ、マルチ表示部３０を省略することもできる。
【図面の簡単な説明】
【００４９】
【図１】第１実施形態における車両用表示装置の正面図である。
【図２】第１実施形態における車両用表示装置の概略の回路構成を示す図である。
【図３】第１実施形態における車両用表示装置の作動の一例を示すフローチャートである。
【図４】車両用表示装置において表示灯が点灯した状態を示す図である。
【図５】車両用表示装置において表示灯が点灯し、マルチ表示部が警告内容を表示している状態を示す図である。
【図６】第２実施形態における車両用表示装置の正面図である。
【符号の説明】
【００５０】
１０、１５  車両用表示装置
３０、３５  マルチ表示部
４１〜４５  警告灯（第２表示部）
５０  表示灯（第１表示部）
５５  操作スイッチ（操作部）
６０  マイコン（制御手段）
【図１】
2010076462.tif 000003
【図２】
2010076462.tif 000004
【図３】
2010076462.tif 000005
【図４】
2010076462.tif 000006
【図５】
2010076462.tif 000007
【図６】
2010076462.tif 000008